(57)【要約】【課題】５．１ｃｈのスピーカ接続にも拘わらず、コンテンツに含まれるＬＰＣＭ７．１ｃｈの音声情報の内、５．１ｃｈ分の音声をそのまま出力するとともに、２ｃｈ分の音声を擬似的に再生することで、高音質な５．１ｃｈバーチャル再生を実現する音声信号再生装置および音声信号再生システムを実現する。【解決手段】ＳＬｃｈの再生音は、ＬｃｈとＳＢＬｃｈに配置された２つのスピーカー５ａ及び５ｄより適度に調整された合成音で再生し、またＳＲｃｈの再生音は、ＲｃｈとＳＢＲｃｈに配置された２つのスピーカ５ｂ及び５ｅより適度に調整された合成音で再生する。【選択図】図１
2008312034.tif 000002
【特許請求の範囲】
【請求項１】
受聴位置の前方中央に位置しＣチャンネル音声を出力可能なセンタースピーカーと、前記センタースピーカーの左右両側に位置しＬチャンネル音声及びＲチャンネル音声を出力可能な左前方スピーカー及び右前方スピーカーと、前記受聴位置の左右両側に位置しＳＬチャンネル音声及びＳＲチャンネル音声を出力可能な左右リアスピーカーとで構成される、５．１チャンネル音場方式の音声信号を出力可能なスピーカーシステムと、
前記５．１チャンネル音場方式に対応する音声情報に、前記受聴位置の左右両後方に位置する左後方スピーカー及び右後方スピーカーから出力されるＳＢＬチャンネル音声情報及びＳＢＲチャンネル音声情報を加えた、７．１チャンネル音場方式に対応した音声情報を出力する外部機器と、を接続可能な音声信号再生装置であって、
前記外部機器から伝送される７．１チャンネル音場方式に対応した音声情報に基づき、５．１チャンネル音場方式に対応した音声情報を生成する制御部を備え、
前記制御部は、
前記外部機器から伝送されるＬチャンネル音声情報とＳＬチャンネル音声情報とを合成して、前記左前方スピーカーから出力するための音声情報を生成し、
前記外部機器から伝送されるＲチャンネル音声情報とＳＲチャンネル音声情報とを合成して、前記右前方スピーカーから出力するための音声情報を生成し、
前記外部機器から伝送されるＳＢＬチャンネル音声情報とＳＬチャンネル音声情報とを合成して、前記左リアスピーカーから出力するための音声情報を生成し、
前記外部機器から伝送されるＳＢＲチャンネル音声情報とＳＲチャンネル音声情報とを合成して、前記右リアスピーカーから出力するための音声情報を生成する、音声信号再生装置。
【請求項２】
前記制御部は、
前記Ｌチャンネル音声情報と前記ＳＢＬチャンネル音声情報とに、前記ＳＬチャンネル音声情報を所定の割合で加算し、
前記Ｒチャンネル音声情報と前記ＳＢＲチャンネル音声情報とに、前記ＳＲチャンネル音声情報を所定の割合で加算する、請求項１記載の音声信号再生装置。
【請求項３】
前記制御部は、
前記所定の割合を可変可能に構成した、請求項２記載の音声信号再生装置。
【請求項４】
受聴位置の前方中央に位置しＣチャンネル音声を出力可能なセンタースピーカーと、前記センタースピーカーの左右両側に位置しＬチャンネル音声及びＲチャンネル音声を出力可能な左前方スピーカー及び右前方スピーカーと、前記受聴位置の左右両側に位置しＳＬチャンネル音声及びＳＲチャンネル音声を出力可能な左右リアスピーカーとで構成される、５．１チャンネル音場方式の音声信号を出力可能なスピーカーシステムと、
前記５．１チャンネル音場方式に対応する音声情報に、前記受聴位置の左右両後方に位置する左後方スピーカー及び右後方スピーカーから出力されるＳＢＬチャンネル音声情報及びＳＢＲチャンネル音声情報を加えた、７．１チャンネル音場方式に対応した音声情報を出力する外部機器を接続可能な音声信号再生装置と、を備えた音声信号再生システムであって、
前記音声信号再生装置は、
前記外部機器から伝送される７．１チャンネル音場方式に対応した音声情報に基づき、５．１チャンネル音場方式に対応した音声情報を生成する制御部を備え、
前記制御部は、
前記外部機器から伝送されるＬチャンネル音声情報とＳＬチャンネル音声情報とを合成して、前記左前方スピーカーから出力するための音声情報を生成し、
前記外部機器から伝送されるＲチャンネル音声情報とＳＲチャンネル音声情報とを合成して、前記右前方スピーカーから出力するための音声情報を生成し、
前記外部機器から伝送されるＳＢＬチャンネル音声情報とＳＬチャンネル音声情報とを合成して、前記左リアスピーカーから出力するための音声情報を生成し、
前記外部機器から伝送されるＳＢＲチャンネル音声情報とＳＲチャンネル音声情報とを合成して、前記右リアスピーカーから出力するための音声情報を生成する、音声信号再生システム。
【発明の詳細な説明】
【技術分野】
【０００１】
本発明は、多チャンネルの音声信号再生が可能な音声信号再生装置、および音声信号再生システムに関する。特に、ＡＶアンプやレシーバなどの音響装置に適用可能な装置及びシステムに関する。
【背景技術】
【０００２】
映画などの各種コンテンツが収録されたＤＶＤが普及しているが、近年ではＤＶＤに加えて、各種コンテンツが収録されたＢＤ（Blu-lay Disk）やＨＤ−ＤＶＤなどの次世代ディスクが普及しつつある。そして、次世代ディスクに収録されたコンテンツを、一般家庭に設置されている５．１ｃｈ音場システムなどのホームシアターシステムで再生する用途が広まりつつある。次世代ディスクに収録されているコンテンツは、ＤＶＤに収録された５．１ｃｈ対応の音声情報とは異なり、主にＬＰＣＭ（Liner Pulse Code Modulation）７．１ｃｈ対応の非圧縮な高音質の音声情報が収録されている。このようなコンテンツを再生する際は、ＢＤプレーヤ等の再生装置に接続されているＡＶアンプが７．１ｃｈ音場システムに対応していれば、７．１ｃｈ対応のスピーカーシステムにより、定位のある高音質マルチ再生を行うことができる。
【０００３】
図３は、従来の音声信号再生システムの構成を示し、５．１ｃｈ対応の音声信号再生システムの構成を示す。図３において、ＡＶアンプ１１０は、ケーブル１０７を介して外部機器１０６と通信が可能な通信部１０１と、通信部１０１で受信した情報を５．１ｃｈの音声情報に変換する制御部１０２と、制御部１０２から出力される音声情報（デジタル信号）をアナログ音声信号に変換するデジタル−アナログコンバーター（以下ＤＡＣと称する）１０３ａ〜１０３ｆと、各ＤＡＣ１０３ａ〜１０３ｅのそれぞれに接続されたアンプ１０４ａ〜１０４ｅと、通信部１０１及び制御部１０２を制御する中央演算処理装置（ＣＰＵ）１１１、ＲＯＭ（Read Only Memory）１１２、及びＲＡＭ（Random Access Memory）１１３を備えている。なお、制御部１０２内に図示している破線枠は、各チャンネルに対応した音声情報を示している。また、図中のＬｃｈは左前方のスピーカーから出力する音声、Ｒｃｈは右前方のスピーカーから出力する音声、Ｃｃｈはセンタースピーカーから出力する音声、ＳＬｃｈは左後方のスピーカーから出力する音声、ＳＲｃｈは右後方のスピーカーから出力する音声、ＳＷｃｈはサブウーファーから出力する音声を示す。また、ＡＶアンプ１１０には、例えばＢＤプレーヤで構成されている外部機器１０６と、５．１ｃｈ音場システムに対応したスピーカー１０５ａ〜１０５ｆとが接続されている。スピーカー１０５ｆは、アンプ１０４ｆを介してＡＶアンプ１１０接続されている。なお、スピーカ１０５ｆは、アンプを内蔵し直接ＡＶアンプ１１０と接続することも可能である。
【０００４】
外部機器１０６において再生出力されたＢＤの音声情報は、デジタルデータのままでケーブル１０７を介してＡＶアンプ１１０の通信部１０１に入力される。通信部１０１に入力された音声情報は、制御部１０２に入力され、５．１ｃｈの音声情報にデコードされる。制御部１０２においてデコードされた音声情報は、チャンネル毎に各ＤＡＣ１０３ａ〜１０３ｆに入力され、アナログの音声信号に変換される。ＤＡＣ１０３ａ〜１０３ｆから出力される音声信号は、それぞれアンプ１０４ａ〜１０４ｆで増幅され、各スピーカー１０５ａ〜１０５ｆから外部に音響出力される。
【０００５】
なお、特許文献１には、７．１ｃｈの音声情報を、５．１ｃｈ音場システムで再生可能なようにダウンミックスする構成が開示されている。
【特許文献１】特開２００５−３４１２０８号公報
【発明の開示】
【発明が解決しようとする課題】
【０００６】
しかしながら、５．１ｃｈ対応のスピーカーが接続されているシステムにおいて、７．１ｃｈの音声情報を再生しようとした場合、音質が低下してしまうという課題がある。
【０００７】
例えば、５．１ｃｈ対応のＡＶアンプや、７．１ｃｈ対応のＡＶアンプに５．１ｃｈ対応のスピーカが接続されている場合には、外部機器１０６とＡＶアンプ１１０と間のＥＤＩＤ制御情報伝達（EDID:Extended Display Identification Data）により、ＡＶアンプ１１０が５．１ｃｈ対応であるという情報が外部機器１０６に伝達されるので、外部機器１０６において７．１ｃｈの音声情報を５．１ｃｈの音声情報にダウンミックス（特許文献１参照）して送り出すか、またはコンテンツの中に同時に含有されている５．１ｃｈ仕様の圧縮音声情報をＡＶアンプ１１０に送り出すしかない。このような構成では、ダウンミックス処理や圧縮処理の際に音声情報の一部が欠落し、折角の高音質ＬＰＣＭ７．１ｃｈ対応の音声の音質が低下してしまう。
【０００８】
本発明の目的は、５．１ｃｈのスピーカ接続にも拘わらず、コンテンツに含まれるＬＰＣＭ７．１ｃｈの音声情報の内、５．１ｃｈ分の音声をそのまま出力するとともに、２ｃｈ分の音声を擬似的に再生することで、高音質な５．１ｃｈバーチャル再生を実現する音声信号再生装置および音声信号再生システムを実現することである。
【課題を解決するための手段】
【０００９】
本発明の音声信号再生装置は、受聴位置の前方中央に位置しＣチャンネル音声を出力可能なセンタースピーカーと、前記センタースピーカーの左右両側に位置しＬチャンネル音声及びＲチャンネル音声を出力可能な左前方スピーカー及び右前方スピーカーと、前記受聴位置の左右両側に位置しＳＬチャンネル音声及びＳＲチャンネル音声を出力可能な左右リアスピーカーとで構成される５．１チャンネル音場方式の音声信号を出力可能なスピーカーシステムと、前記５．１チャンネル音場方式に対応する音声情報に、前記受聴位置の左右両後方に位置する左後方スピーカー及び右後方スピーカーから出力されるＳＢＬチャンネル音声情報及びＳＢＲチャンネル音声情報を加えた、７．１チャンネル音場方式に対応した音声情報を出力する外部機器と、を接続可能な音声信号再生装置であって、前記外部機器から伝送される７．１チャンネル音場方式に対応した音声情報に基づき、５．１チャンネル音場方式に対応した音声情報を生成する制御部を備え、前記制御部は、前記外部機器から伝送されるＬチャンネル音声情報とＳＬチャンネル音声情報とを合成して、前記左前方スピーカーから出力するための音声情報を生成し、前記外部機器から伝送されるＲチャンネル音声情報とＳＲチャンネル音声情報とを合成して、前記右前方スピーカーから出力するための音声情報を生成し、前記外部機器から伝送されるＳＢＬチャンネル音声情報とＳＬチャンネル音声情報とを合成して、前記左リアスピーカーから出力するための音声情報を生成し、前記外部機器から伝送されるＳＢＲチャンネル音声情報とＳＲチャンネル音声情報とを合成して、前記右リアスピーカーから出力するための音声情報を生成するものである。
【００１０】
本発明の音声信号再生システムは、受聴位置の前方中央に位置しＣチャンネル音声を出力可能なセンタースピーカーと、前記センタースピーカーの左右両側に位置しＬチャンネル音声及びＲチャンネル音声を出力可能な左前方スピーカー及び右前方スピーカーと、前記受聴位置の左右両側に位置しＳＬチャンネル音声及びＳＲチャンネル音声を出力可能な左右リアスピーカーとで構成される５．１チャンネル音場方式の音声信号を出力可能なスピーカーシステムと、前記５．１チャンネル音場方式に対応する音声情報に、前記受聴位置の左右両後方に位置する左後方スピーカー及び右後方スピーカーから出力されるＳＢＬチャンネル音声情報及びＳＢＲチャンネル音声情報を加えた、７．１チャンネル音場方式に対応した音声情報を出力する外部機器を接続可能な音声信号再生装置と、を備えた音声信号再生システムであって、前記音声信号再生装置は、前記外部機器から伝送される７．１チャンネル音場方式に対応した音声情報に基づき、５．１チャンネル音場方式に対応した音声情報を生成する制御部を備え、前記制御部は、前記外部機器から伝送されるＬチャンネル音声情報とＳＬチャンネル音声情報とを合成して、前記左前方スピーカーから出力するための音声情報を生成し、前記外部機器から伝送されるＲチャンネル音声情報とＳＲチャンネル音声情報とを合成して、前記右前方スピーカーから出力するための音声情報を生成し、前記外部機器から伝送されるＳＢＬチャンネル音声情報とＳＬチャンネル音声情報とを合成して、前記左リアスピーカーから出力するための音声情報を生成し、前記外部機器から伝送されるＳＢＲチャンネル音声情報とＳＲチャンネル音声情報とを合成して、前記右リアスピーカーから出力するための音声情報を生成するものである。
【発明の効果】
【００１１】
本発明によれば、５．１ｃｈ音場システム対応のスピーカーが接続されたシステムにおいて、コンテンツに含まれるＬＰＣＭ７．１ｃｈの音声情報の一部を擬似的に再生出力することができるため、５．１ｃｈ対応の簡単なシステムで高音質なＬＰＣＭ７．１ｃｈ対応の音声を再生出力することができるという利点がある。
【発明を実施するための最良の形態】
【００１２】
本発明の音声信号再生装置および音声信号再生システムは、上記構成を基本として、以下のような様々な態様をとることができる。
【００１３】
すなわち、前記制御部は、前記Ｌチャンネル音声情報と前記ＳＢＬチャンネル音声情報とに、前記ＳＬチャンネル音声情報を所定の割合で加算し、前記Ｒチャンネル音声情報と前記ＳＢＲチャンネル音声情報とに、前記ＳＲチャンネル音声情報を所定の割合で加算する構成とすることができる。この構成により、左前方スピーカーと左リアスピーカーとの間に、ＳＬチャンネルの音声情報の音像を合成出力させることができ、擬似的にスピーカーを追加した構成にすることができるとともに、右前方スピーカーと右リアスピーカーとの間に、ＳＲチャンネルの音声情報の音像を合成出力させることができ、擬似的にスピーカーを追加した構成にすることができる。したがって、５．１チャンネル音場システムで、擬似的に７．１チャンネルの音声を高音質再生することができる。
【００１４】
また、前記制御部は、前記所定の割合を可変可能に構成することができる。この構成により、左前方スピーカーと左リアスピーカーとの間に合成出力する音像、および右前方スピーカーと右リアスピーカーとの間に合成出力する音像を、任意の位置に調整することができる。
【００１５】
（実施の形態）
本発明の音声信号再生装置および音声信号再生システムは、例えば、ＡＶアンプに５．１ｃｈのスピーカーが接続されていても、再生されるコンテンツ情報を読み取って、コンテンツにＬＰＣＭ７．１ｃｈ情報が含まれていれば、５．１ｃｈの信号へダウンミックスすることなく７．１ｃｈの信号をそのままＡＶアンプへ送信するようにＨＤＭＩコントロール信号系のＥＤＩＤにて制御する構成を備えている。また、５．１ｃｈスピーカ配置にも拘わらず、ＳＬｃｈとＳＲｃｈのスピーカ配置に関しては、本来７．１ｃｈのスピーカ配置において推奨される各々ＳＢＬｃｈとＳＢＲｃｈの位置に配置することにより、７．１ｃｈの音声信号を用いて擬似的に７．１ｃｈの音場を再生することを特徴とする。上記構成において、ＳＬｃｈの再生音は、ＬｃｈとＳＢＬｃｈに配置された２つのスピーカより適度に調整された合成音で再生する。また、ＳＲｃｈの再生音は、ＲｃｈとＳＢＲｃｈに配置された２つのスピーカより適度に調整された合成音で再生する。これにより、再生プレーヤから入力されたＬＰＣＭ７．１ｃｈ信号（Ｌｃｈ、Ｒｃｈ、Ｃｃｈ、ＳＬｃｈ、ＳＲｃｈ、ＳＢＬｃｈ、ＳＢＲｃｈ、ＳＷｃｈ）の内、Ｌｃｈ、Ｒｃｈ、Ｃｃｈ、ＳＢＬｃｈ、ＳＢＲｃｈ、ＳＷｃｈは、それぞれ指定のスピーカから原音をそのまま再生し、ＳＬｃｈとＳＲｃｈの信号のみ他のスピーカを用いて擬似再生することとなる。
【００１６】
このように本発明は、ＡＶアンプに接続された外部機器に対して７．１ｃｈの音声信号出力を要求すると共に、その要求に応じて外部機器から出力された７．１ｃｈの音声信号を用いて、５．１ｃｈ接続のＡＶアンプで擬似的に７．１ｃｈ高音質再生を可能とするように制御する構成である。
【００１７】
以下、本発明の音声信号再生装置および音声信号再生システムの実施形態について説明する。
【００１８】
図１は、実施の形態における音声信号再生システムの構成を示すブロック図である。図１において、ＡＶアンプ１０は、通信部１、制御部２、ＤＡＣ３ａ〜３ｆ、アンプ４ａ〜４ｅ、ＣＰＵ１１、ＲＯＭ１２、およびＲＡＭ１３を備えている。また、ＡＶアンプ１０には、ケーブル７を介して外部機器６が接続可能なように端子を装備している。また、ＡＶアンプ１０は、５．１ｃｈ対応のスピーカー５ａ〜５ｆを接続可能なように端子を装備している。また、スピーカー５ｆは、アンプ４ｆを介してＡＶアンプ１０に接続されている。なお、スピーカ５ｆは、アンプを内蔵し直接ＡＶアンプ１１０と接続することも可能である。なお、ＡＶアンプ１０は、音声信号再生装置の一例である。
【００１９】
通信部１は、ケーブル７を介して外部機器６と通信が可能な手段である。本実施の形態では、ＡＶアンプ１０と外部機器６とはＨＤＭＩ規格（HDMI:High-Definition Multimedia Interface）に準拠した方式に基づいて通信する構成としており、通信部１にはＨＤＭＩケーブルを接続可能なＨＤＭＩ端子を備えている。なお、ＡＶアンプ１０と外部機器６との間はＨＤＭＩ規格に基づく通信に限らず、少なくとも外部機器６から７．１ｃｈの音声情報を含むデータを伝送することができれば、他の通信手段を用いてもよい。
【００２０】
制御部２は、通信部１で受信したデータから、７．１ｃｈの音声情報を抽出する。また、制御部２は、合成回路２ａを備えている。合成回路２ａは、７．１ｃｈの音声情報を所定の比率で合成し、５．１ｃｈ対応のスピーカーから出力可能な音声情報を生成する。具体的な合成方法については後述する。なお、制御部２内に図示している破線枠は、各チャンネルに対応した音声情報を示しており、制御部２に入力される７．１ｃｈの音声情報はＬｃｈ（左前方スピーカー用の音声情報）、Ｒｃｈ（右前方スピーカー用の音声情報）、Ｃｃｈ（センタースピーカー用の音声情報）、ＳＬｃｈ（左リアスピーカー用の音声情報）、ＳＲｃｈ（右リアスピーカー用の音声情報）、ＳＢＬｃｈ（左後方スピーカー用の音声情報）、ＳＢＲｃｈ（右後方スピーカー用の音声情報）、ＳＷｃｈ（サブウーファー用の音声情報）から構成されている。
【００２１】
ＤＡＣ３ａ〜３ｆは、制御部２から出力されるデジタル信号で構成された音声情報を、アナログの音声信号に変換する。なお、制御部２では７．１ｃｈの音声情報に基づき、５．１ｃｈ分の音声情報を生成するため、ＤＡＣは全部で６個となる。ＤＡＣ３ａは、Ｌｃｈ音声情報用のＤＡＣである。ＤＡＣ３ｂは、Ｒｃｈ音声情報用のＤＡＣである。ＤＡＣ３ｃは、Ｃｃｈ音声情報用のＤＡＣである。ＤＡＣ３ｄは、ＳＬｃｈ音声情報用のＤＡＣである。ＤＡＣ３ｅは、ＳＲｃｈ音声情報用のＤＡＣである。ＤＡＣ３ｆは、ＳＷｃｈ音声情報用のＤＡＣである。
【００２２】
アンプ４ａ〜４ｆは、それぞれＤＡＣ３ａ〜３ｆから出力される音声信号を増幅する。なお、本構成では、サブウーファー用のアンプ４ｆは、ＡＶアンプ１０内ではなくサブウーファーユニット内に搭載する構成とした。
【００２３】
スピーカー５ａ〜５ｆは、ＡＶアンプ１０に装備されているスピーカー接続端子に接続可能であり、５．１ｃｈ分のスピーカーで構成されている。具体的には、受聴者の正面に位置するセンタースピーカー５ｃ（Ｃｃｈスピーカー）、センタースピーカー５ｃの左右両側に位置する左前方スピーカー５ａ（Ｌｃｈスピーカー）及び右前方スピーカー５ｂ（Ｒｃｈスピーカー）、受聴者の左右後方に配置された左リアスピーカー５ｄ（ＳＬｃｈスピーカー）及び右リアスピーカー５ｅ（ＳＲｃｈスピーカー）から構成されている。本実施の形態では、通常の５．１ｃｈ音場システムにおいて受聴者の左右側方に配置するスピーカー５ｄ及び５ｅを、７．１ｃｈ音場システムにおけるＳＢＬｃｈスピーカー及びＳＢＲｃｈスピーカーを配置させる位置に配置する構成とした。なお、スピーカー５ｆは、アンプ４ｆを介してＡＶアンプ１０のスピーカー接続端子に接続されている。
【００２４】
外部機器６は、ケーブル７を介してＡＶアンプ１０の通信部１に接続可能な機器であり、本実施の形態では７．１ｃｈの音声情報を含むコンテンツが収録されたＢＤを再生可能なＢＤプレーヤーを一例とした。なお、外部機器６は、少なくとも７．１ｃｈの音声情報を含むデータを出力可能な機器であればよい。また、本実施の形態では、外部機器６とＡＶアンプ１０との間でＨＤＭＩ規格による通信を行う構成としているが、通信の規格はＨＤＭＩ規格に限らず、少なくともＡＶアンプ１０との間で音声情報や制御情報を含んだデータ通信が可能な構成であればよい。
【００２５】
ＣＰＵ１１は、通信部１のＥＤＩＤ制御や、制御部２の内部の処理仕様をコントロールする。また、ＣＰＵ１１は、通信部１を通じて与えられる選択情報に従って、ＥＤＩＤ信号を書き換えることができる。また、ＣＰＵ１１には、ＣＰＵ１１の動作プログラムが格納されているＲＯＭ１２と、ＣＰＵ１１において各種処理動作を実行する際に作業ファイルが一時的に格納されるＲＡＭ１３とが接続されている。
【００２６】
以下、動作について説明する。
【００２７】
まず、外部機器６内の通信部とＡＶアンプ１０内の通信部１との間で、再生可能なコンテンツ情報を、ＨＤＭＩケーブル７を介在してＥＤＩＤ信号により情報交換する。例えば、コンテンツに含まれる音声情報の仕様と、ＡＶアンプ１０において再生可能な音声情報の仕様とを情報交換する。両者間で情報交換を行い、コンテンツに７．１ｃｈの音声情報が含まれ、ＡＶアンプ１０が７．１ｃｈ音声情報に対応可能であることが認証されれば、外部機器６はＡＶアンプ１０に対して７．１ｃｈの音声情報を出力することができる。本実施の形態のＡＶアンプ１０は、７．１ｃｈ音声情報に対応しているので、その情報がＥＤＩＤ信号に基づいて外部機器６に伝達される。
【００２８】
ここで、図３に示す従来技術のように、ＡＶアンプが７．１ｃｈの音声信号の再生に対応していないシステムであれば、外部機器側は、ＬＰＣＭ７．１ｃｈの音声情報をＡＶアンプにおいて再生可能な信号形態である５．１ｃｈの音声情報にダウンミックスして、ＡＶアンプの通信部に送出している。しかし、本実施の形態の場合は、ＣＰＵ１０１により通信部１をＥＤＩＤ制御し、通信部１は外部機器６に７．１ｃｈの音声情報を送出可能なように指示する。これにより、外部機器６から出力される７．１ｃｈの音声情報を、ケーブル７を介してＡＶアンプ１０に伝送することができる。
【００２９】
通信部１は、外部機器６から伝送される音声情報を制御部２へ送る。制御部２は、入力される音声情報をＬｃｈ，Ｒｃｈ，Ｃｃｈ，ＳＬｃｈ，ＳＲｃｈ，ＳＢＬｃｈ，ＳＢＲｃｈ，およびＳＷｃｈの７．１ｃｈ音声情報にデコードする。デコードされた８個の音声情報は、制御部２内の合成回路２ａに入力され、５．１ｃｈ対応スピーカーから出力させるために６個の信号（Ｌｃｈ２、Ｒｃｈ２、Ｃｃｈ２、ＳＢＬｃｈ２、ＳＢＲｃｈ２、ＳＷｃｈ２）に加工される。合成回路２ａにおける合成動作は、下記の数式に基づいて行われる。
【００３０】
Ｌｃｈ→  Ｌｃｈ２＝Ｌｃｈ＋Ａ×ＳＬｃｈ
Ｒｃｈ→  Ｒｃｈ２＝Ｒｃｈ＋Ａ×ＳＲｃｈ
Ｃｃｈ→  Ｃｃｈ２＝Ｃｃｈ  （加工無し）
ＳＬｃｈ→  単独出力無し
ＳＲｃｈ→  単独出力無し
ＳＢＬｃｈ→  ＳＢＬｃｈ２＝ＳＢＬｃｈ＋（１−Ａ）×ＳＬｃｈ
ＳＢＲｃｈ→  ＳＢＲｃｈ２＝ＳＢＲｃｈ＋（１−Ａ）×ＳＲｃｈ
ＳＷｃｈ→  ＳＷｃｈ２＝ＳＷｃｈ  （加工無し）
ここで、ミキシング係数Ａは０＜Ａ＜１である。
【００３１】
この後、Ｌｃｈ２の音声情報はＤＡＣ３ａへ入力され、Ｒｃｈ２の音声情報はＤＡＣ３ｂへ入力され、Ｃｃｈ２の音声情報は第３のＤＡＣ３ｃへ入力され、ＳＢＬｃｈ２の音声情報はＤＡＣ３ｄへ入力され、ＳＢＲｃｈ２の音声情報はＤＡＣ３ｅへ入力され、ＳＷｃｈ２の音声情報はＤＡＣ３ｆへ入力され、それぞれのＤＡＣにおいてデジタル信号である音声情報からアナログ音声信号に変換される。
【００３２】
次に、ＤＡＣ３ａ〜３ｆから出力される音声信号は、それぞれアンプ４ａ〜４ｆで増幅されて、スピーカー５ａ〜５ｆに入力される。これにより、合成回路２ａにおいて８個の音声情報から６個の音声情報に変換された音声信号が再生出力される。
【００３３】
次に、音声信号が効果的に再生されるスピーカ配置について、図２を参照して説明する。図２は、本実施の形態におけるスピーカー配置を示す模式図であり、５．１ｃｈ対応のスピーカーを７．１ｃｈ音場方式に対応させるための配置を示している。説明の便宜上、サブウーファー用のスピーカー５ｆの図示は省略した。図示のシステムでは、前方の３個のスピーカー５ａ，５ｂ，５ｃは一般的な５．１ｃｈ音場システムの配置と同等であるが、後方の２個のスピーカー５ｄ，５ｅは７．１ｃｈ音場システムにおけるサラウンドバックスピーカーの配置と同等である。
【００３４】
一般に、５．１ｃｈ音場システムなどのマルチチャンネル再生システムでは、ＩＴＵ−Ｒ勧告で推奨されたスピーカー配置が用いられるが、本実施の形態の音声信号再生システム（５．１ｃｈバーチャル再生システム）では、図２に示すように後方用スピーカーであるスピーカー５ｄ及び５ｅの配置をＩＴＵ−Ｒ勧告の７．１ｃｈ配置のサラウンドバックスピーカーの位置（図２に示すＳＢＬとＳＢＲの位置）に配置することを特徴とする。このように配置した場合、７．１ｃｈの信号成分の内、ＳＬｃｈとＳＲｃｈ以外の音声信号は、ＩＴＵ−Ｒ勧告の７．１ｃｈのスピーカー配置に基づいて配置された６個のスピーカーで正しく再生される。
【００３５】
一方、ＳＬｃｈの音声信号は、前述の制御部２内の合成回路にて加工され、Ｌｃｈスピーカー５ａからＳＬｃｈ音声信号のＡ倍（Ａはミキシング係数）の音声信号に基づいた音声が出力され、ＳＢＬｃｈ位置に配置されたＳＬｃｈスピーカー５ｄからＳＬｃｈ音声信号の（１−Ａ）倍の音声信号に基づいた音声が出力される。したがって、そのミキシング係数Ａを適度な値に設定すれば、Ｌｃｈスピーカー５ａとＳＬｃｈスピーカー５ｄとの間において音像が定位され、仮想的なスピーカー５ｇから音声が出力される状態となる。
【００３６】
同様に、ＳＲｃｈの音声信号は、前述の制御部２内の合成回路にて加工され、Ｒｃｈスピーカー５ｂからＳＲｃｈ音声信号のＡ倍の音声信号に基づいた音声が出力され、ＳＢＲｃｈ位置に配置されたＳＲｃｈスピーカー５ｅからＳＲｃｈ音声信号の（１−Ａ）倍の音声信号に基づいた音声が出力される。したがって、そのミキシング係数Ａを適度な値に設定すれば、Ｒｃｈスピーカー５ｂとＳＲｃｈスピーカー５ｅとの間において音像が合成出力され、仮想的なスピーカー５ｈから音声が出力される状態となる。
【００３７】
なお、ミキシング係数Ａは、前述したように０＜Ａ＜１の範囲において設定することができ、値を上昇させるとＳＬｃｈの音像がＬｃｈスピーカー５ａ側へ移動して定位（仮想的なスピーカー５ｇの位置がＬｃｈスピーカー５ａ側へ移動）するとともに、ＳＲｃｈの音像がＲｃｈスピーカー５ｂ側へ移動して合成出力（仮想的なスピーカー５ｈの位置がＲｃｈスピーカー５ｂ側へ移動）する。また、ミキシング係数Ａの値を低下させると、ＳＬｃｈの音像がＳＬｃｈスピーカー５ｄ側へ移動して定位し、ＳＲｃｈの音像がＲｃｈスピーカー５ｂ側へ移動して合成出力する。したがって、ミキシング係数Ａを任意の値に設定することで、任意の位置にＳＬｃｈ及びＳＲｃｈの音像を合成出力させることができる。
【００３８】
また、ミキシング係数Ａを調整可能な構成は、例えばＡＶアンプ１０を遠隔操作可能なリモコン装置に音像定位調整用のスイッチを搭載し、このスイッチが操作されることで制御部２においてミキシング係数の値を上昇または低下させる構成が考えられる。ユーザーは、スイッチを操作することにより、仮想的なスピーカー５ｇ及び５ｈを任意の位置に設定することができる。仮想的なスピーカー５ｇ及び５ｈの位置は、システムを設置している空間の広さや、受聴位置などを考慮して、最適な位置に調整することが望ましい。
【００３９】
以上のように本実施の形態によれば、簡単なＨＤＭＩ制御と動作プログラムの追加及びスピーカ配置の一部変更により、安価な５．１ｃｈ対応ＡＶアンプにおいて高音質なＬＰＣＭ７．１ｃｈに対応した音声信号を擬似再生させることができ、７．１ｃｈの音声情報を含むコンテンツを再生する時の音質を改善することができる。
【００４０】
すなわち、従来技術においては、７．１ｃｈに対応したコンテンツを再生する際、７．１ｃｈの音声情報の一部がダウンミックスあるいは圧縮処理によって欠落しているので、音質が低下していたのに対し、本実施の形態では、外部機器６から伝送される７．１ｃｈの音声情報に基づいて、５．１ｃｈの音声情報と仮想的な２ｃｈの音声情報とを生成する構成としたことにより、５．１ｃｈ音場システムにおいて、７．１ｃｈの音声情報を欠落させずに高音質な音声信号を再生することができる。
【００４１】
また、ミキシング係数Ａを任意の値に調整可能な構成としたことにより、仮想的なスピーカー５ｇ及び５ｈの位置を任意の位置に調整することができ、システムを設置している空間の広さや受聴者の位置に応じて、最適な音響空間を形成することができる。
【００４２】
また、この単純ミキシングをベースに対してさらに逆相加算を適宜加えて効果補正することも考えられる。
【００４３】
なお、本実施の形態では、ミキシング係数Ａを０＜Ａ＜１の範囲で任意の値に設定可能な構成としたが、予め所定の値に固定する構成でもよい。ミキシング係数Ａを固定値とする場合は、ＡＶアンプ１０の製造者においてミキシング係数Ａを所定の値に設定する構成でもよいし、ユーザーにおいてＡＶアンプ１０の初期設定操作時に所定の値に設定する構成でもよい。ミキシング係数Ａを固定値とすることにより、ユーザーにおける面倒な設定操作を省くことができる。
【００４４】
また、上記説明では、ＡＶアンプ１０に５．１ｃｈ対応のスピーカーシステムを接続し、７．１ｃｈ対応のコンテンツを再生する構成について説明したが、同システムで５．１ｃｈ対応のコンテンツを再生する際は、合成回路２ａにおける合成動作は行わずに、そのまま各音声情報に基づく音声を各スピーカーへ出力する。
【産業上の利用可能性】
【００４５】
本発明の音声信号再生装置および音声信号再生システムは、多チャンネル再生及び２チャンネルステレオ再生ができるＡＶアンプやレシーバなどの音響装置での音質向上用途に適用できる。
【図面の簡単な説明】
【００４６】
【図１】本発明の実施の形態による音声信号再生システムの構成を示すブロック図
【図２】実施の形態による音声信号再生システムに接続されるスピーカーの配置関係を示す模式図
【図３】従来の音声信号再生システムの構成を示すブロック図
【符号の説明】
【００４７】
１  通信部
２  制御部
２ａ  合成回路
５ａ，５ｂ，５ｃ，５ｄ，５ｅ，５ｆ  スピーカー
６  外部機器
１０  ＡＶアンプ
【図１】
2008312034.tif 000003
【図２】
2008312034.tif 000004
【図３】
2008312034.tif 000005